【手続補正書】
【提出日】平成17年5月23日(2005.5.23)
【手続補正１】
【補正対象書類名】明細書
【補正対象項目名】特許請求の範囲
【補正方法】変更
【補正の内容】
【特許請求の範囲】
【請求項１】
既存の文書情報および所定の文書情報に関連する関連情報を提示する情報処理装置において、
前記既存の文書情報に対応付ける前記関連情報を取得する取得手段と、
前記所定の文書情報に関連する前記既存の文書情報を検索する検索手段と、
前記検索手段により検索された前記既存の文書情報に対応付けられている前記関連情報を検索する関連情報検索手段と、
前記関連情報検索手段により検索された前記関連情報、および前記検索手段による検索に寄与した情報の表示を制御する表示制御手段と
を備えることを特徴とする情報処理装置。
【請求項２】
前記検索手段は、前記既存の文書情報の属性情報に基づき、前記既存の文書情報を検索し、
前記表示制御手段は、前記検索手段による検索に寄与した、前記既存の文書情報の属性情報を表示させる
ことを特徴とする請求項１に記載の情報処理装置。
【請求項３】
前記表示制御手段は、過去に表示した前記検索に寄与した情報と同一の情報を表示させる場合、前記検索に寄与した情報を異なる表現で表示させる
ことを特徴とする請求項１に記載の情報処理装置。
【請求項４】
前記表示手段は、前記検索に寄与した情報を構成する単語の類義語、上位概念語、または関連語等を、前記検索に寄与した情報として表示させる
ことを特徴とする請求項１に記載の情報処理装置。
【請求項５】
前記関連情報検索手段により検索された前記関連情報を記憶する記憶手段をさらに備え、
前記表示制御手段は、前記記憶手段に記憶されている前記関連情報を定期的に表示させる
ことを特徴とする請求項１に記載の情報処理装置。
【請求項６】
文書情報から属性情報を抽出する属性情報抽出手段と、
前記属性情報抽出手段により抽出された前記属性情報に基づいて、前記所定の文書情報を選択する文書情報選択手段と
をさらに備えることを特徴とする請求項１に記載の情報処理装置。
【請求項７】
前記属性情報抽出手段により抽出された前記属性情報に基づいて、１または複数の前記既存の文書情報をグループ化して文書情報群を作成するグループ化手段をさらに備え、
前記取得手段は、前記文書情報群に対応付ける前記関連情報を取得し、
前記検索手段は、前記所定の文書情報に関連する前記文書情報群を検索する
ことを特徴とする請求項６に記載の情報処理装置。
【請求項８】
前記関連情報検索手段により検索された前記関連情報を記憶する記憶手段をさらに備え、
前記検索手段は、前記記憶手段に記憶されている複数の前記関連情報のうち、表示されていない前記関連情報の残量に応じて、前記所定の文書情報に関連する新たな前記既存の文書情報をさらに検索し、
前記記憶手段は、前記検索手段によりさらに検索された新たな前記既存の文書情報に対応付けられている前記関連情報を記憶する
ことを特徴とする請求項１に記載の情報処理装置。
【請求項９】
前記関連情報検索手段により検索された前記関連情報を記憶する記憶手段と、
所定のアプリケーションがアクティブであることを検知する検知手段をさらに備え、
前記検知手段により前記所定のアプリケーションがアクティブであることが検知された場合、前記表示制御手段は、前記記憶手段から前記関連情報を検索するか否かを制御することによって、前記関連情報の表示または非表示を制御する
ことを特徴とする請求項１に記載の情報処理装置。
【請求項１０】
前記関連情報検索手段により検索された前記関連情報を記憶する記憶手段と、
所定のイベントの発生を検知する検知手段をさらに備え、
前記検索手段は、前記所定のイベントの発生に対応する文書情報に関連する前記既存の文書情報を検索し、
前記表示制御手段は、前記検索手段により、前記所定のイベントの発生に対応する前記文書情報に関連して検索された前記関連情報の表示を制御する
ことを特徴とする請求項１に記載の情報処理装置。
【請求項１１】
前記記憶手段に記憶されている前記関連情報の表示と、前記所定のイベントの発生に対応して検索された前記関連情報の表示が重なる場合、前記表示制御手段は、前記所定のイベントの発生に対応して検索された前記関連情報の表示を優先して制御する
ことを特徴とする請求項１０に記載の情報処理装置。
【請求項１２】
前記検索手段は、前記所定のイベントの発生に対応する前記文書情報に関連する前記既存の文書情報が検索できない場合、前記記憶手段に記憶されている前記関連情報を取得する
ことを特徴とする請求項１０に記載の情報処理装置。
【請求項１３】
前記表示制御手段による前記関連情報の表示の制御にともなって、キャラクタの表示を制御するキャラクタ表示制御手段をさらに備え、
前記キャラクタ表示制御手段は、前記所定のイベントの発生に対応して検索された前記関連情報の表示と、前記記憶手段に記憶されている前記関連情報の表示とでは、前記キャラクタの表示を変化させるように制御する
ことを特徴とする請求項１０に記載の情報処理装置。
【請求項１４】
前記既存の文書情報および前記所定の文書情報は、電子メールである
ことを特徴とする請求項１に記載の情報処理装置。
【請求項１５】
前記属性情報抽出手段により抽出された前記属性情報および前記既存の文書情報の特徴語を用いて文章を生成する生成手段をさらに備え、
前記表示制御手段は、前記生成手段により生成された前記文章の表示をさらに制御する
ことを特徴とする請求項６に記載の情報処理装置。
【請求項１６】
前記記憶手段は、前記生成手段により生成され、前記表示制御手段により表示が制御された前記文章に含まれる前記属性情報および前記特徴語をさらに記憶し、
前記表示制御手段は、前記生成手段により前記記憶手段に記憶されていない前記属性情報および前記特徴語を用いて生成された前記文章を表示するように表示を制御する
ことを特徴とする請求項１５に記載の情報処理装置。
【請求項１７】
前記属性情報または前記特徴語に関連する関連語を検索する関連語検索手段をさらに備え、
前記生成手段は、前記関連語検索手段により検索された前記関連語を用いて文書を作成する
ことを特徴とする請求項１５に記載の情報処理装置。
【請求項１８】
既存の文書情報および所定の文書情報に関連する関連情報を提示する情報処理装置の情報処理方法において、
前記既存の文書情報に対応付ける前記関連情報の取得を制御する取得制御ステップと、
前記所定の文書情報に関連する前記既存の文書情報を検索する検索ステップと、
前記検索ステップの処理により検索された前記既存の文書情報に対応付けられている前記関連情報を検索する関連情報検索ステップと、
前記関連情報検索ステップの処理により検索された前記関連情報、および前記検索ステップの処理による検索に寄与した情報の表示を制御する表示制御ステップと
を含むことを特徴とする情報処理方法。
【請求項１９】
既存の文書情報および所定の文書情報に関連する関連情報を提示する情報処理装置を制御するプログラムであって、
前記既存の文書情報に対応付ける前記関連情報の取得を制御する取得制御ステップと、
前記所定の文書情報に関連する前記既存の文書情報を検索する検索ステップと、
前記検索ステップの処理により検索された前記既存の文書情報に対応付けられている前記関連情報を検索する関連情報検索ステップと、
前記関連情報検索ステップの処理により検索された前記関連情報、および前記検索ステップの処理による検索に寄与した情報の表示を制御する表示制御ステップと
を含むことを特徴とするコンピュータが読み取り可能なプログラムが記録されている記録媒体。
【請求項２０】
既存の文書情報および所定の文書情報に関連する関連情報を提示する情報処理装置を制御するコンピュータに、
前記既存の文書情報に対応付ける前記関連情報の取得を制御する取得制御ステップと、
前記所定の文書情報に関連する前記既存の文書情報を検索する検索ステップと、
前記検索ステップの処理により検索された前記既存の文書情報に対応付けられている前記関連情報を検索する関連情報検索ステップと、
前記関連情報検索ステップの処理により検索された前記関連情報、および前記検索ステップの処理による検索に寄与した情報の表示を制御する表示制御ステップと
を実行させるプログラム。
【手続補正２】
【補正対象書類名】明細書
【補正対象項目名】０００８
【補正方法】変更
【補正の内容】
【０００８】
【課題を解決するための手段】
本発明の情報処理装置は、既存の文書情報に対応付ける関連情報を取得する取得手段と、所定の文書情報に関連する既存の文書情報を検索する検索手段と、検索手段により検索された既存の文書情報に対応付けられている関連情報を検索する関連情報検索手段と、関連情報検索手段により検索された関連情報、および検索手段による検索に寄与した情報の表示を制御する表示制御手段とを備えることを特徴とする。
【手続補正３】
【補正対象書類名】明細書
【補正対象項目名】０００９
【補正方法】変更
【補正の内容】
【０００９】
前記検索手段は、既存の文書情報の属性情報に基づき、既存の文書情報を検索し、表示制御手段は、検索手段による検索に寄与した、既存の文書情報の属性情報を表示させるようにすることができる。
前記表示制御手段は、過去に表示した検索に寄与した情報と同一の情報を表示させる場合、検索に寄与した情報を異なる表現で表示させるようにすることができる。
前記表示手段は、前記検索に寄与した情報を構成する単語の類義語、上位概念語、または関連語等を、前記検索に寄与した情報として表示させるようにすることができる。
前記関連情報検索手段により検索された関連情報を記憶する記憶手段をさらに備え、表示制御手段は、記憶手段に記憶されている関連情報を定期的に表示させることができる。
【手続補正４】
【補正対象書類名】明細書
【補正対象項目名】００１１
【補正方法】削除
【補正の内容】
【手続補正５】
【補正対象書類名】明細書
【補正対象項目名】００１３
【補正方法】変更
【補正の内容】
【００１３】
前記関連情報検索手段により検索された関連情報を記憶する記憶手段をさらに備え、検索手段は、記憶手段に記憶されている複数の関連情報のうち、表示されていない関連情報の残量に応じて、所定の文書情報に関連する新たな既存の文書情報をさらに検索し、記憶手段は、検索手段によりさらに検索された新たな既存の文書情報に対応付けられている関連情報を記憶することができる。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
前記関連情報検索手段により検索された関連情報を記憶する記憶手段と、所定のアプリケーションがアクティブであることを検知する検知手段をさらに設け、検知手段により所定のアプリケーションがアクティブであることが検知された場合、表示制御手段は、記憶手段から関連情報を検索するか否かを制御することによって、関連情報の表示または非表示を制御することができる。
【手続補正９】
【補正対象書類名】明細書
【補正対象項目名】００１７
【補正方法】変更
【補正の内容】
【００１７】
前記関連情報検索手段により検索された関連情報を記憶する記憶手段と、所定のイベントの発生を検知する検知手段をさらに設け、検索手段は、所定のイベントの発生に対応する文書情報に関連する既存の文書情報を検索し、表示制御手段は、検索手段により、所定のイベントの発生に対応する文書情報に関連して検索された関連情報の表示を制御することができる。
【手続補正１０】
【補正対象書類名】明細書
【補正対象項目名】００２１
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２７
【補正方法】変更
【補正の内容】
【００２７】
本発明の情報処理方法は、既存の文書情報に対応付ける関連情報の取得を制御する取得制御ステップと、所定の文書情報に関連する既存の文書情報を検索する検索ステップと、検索ステップの処理により検索された既存の文書情報に対応付けられている関連情報を検索する関連情報検索ステップと、関連情報検索ステップの処理により検索された関連情報、および検索ステップの処理による検索に寄与した情報の表示を制御する表示制御ステップとを含むことを特徴とする。
【手続補正１３】
【補正対象書類名】明細書
【補正対象項目名】００２８
【補正方法】変更
【補正の内容】
【００２８】
本発明の記録媒体に記録されているプログラムは、既存の文書情報に対応付ける関連情報の取得を制御する取得制御ステップと、所定の文書情報に関連する既存の文書情報を検索する検索ステップと、検索ステップの処理により検索された既存の文書情報に対応付けられている関連情報を検索する関連情報検索ステップと、関連情報検索ステップの処理により検索された関連情報、および検索ステップの処理による検索に寄与した情報の表示を制御する表示制御ステップとを含むことを特徴とする。
【手続補正１４】
【補正対象書類名】明細書
【補正対象項目名】００２９
【補正方法】変更
【補正の内容】
【００２９】
本発明のプログラムは、既存の文書情報に対応付ける関連情報の取得を制御する取得制御ステップと、所定の文書情報に関連する既存の文書情報を検索する検索ステップと、検索ステップの処理により検索された既存の文書情報に対応付けられている関連情報を検索する関連情報検索ステップと、関連情報検索ステップの処理により検索された関連情報、および検索ステップの処理による検索に寄与した情報の表示を制御する表示制御ステップとをコンピュータに実行させる。
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】００３５
【補正方法】削除
【補正の内容】
【手続補正２１】
【補正対象書類名】明細書
【補正対象項目名】００３６
【補正方法】削除
【補正の内容】
【手続補正２２】
【補正対象書類名】明細書
【補正対象項目名】００３７
【補正方法】変更
【補正の内容】
【００３７】
本発明の情報処理装置および方法、並びにプログラムにおいては、既存の文書情報に対応付ける関連情報が取得され、所定の文書情報に関連する既存の文書情報が検索され、検索された既存の文書情報に対応付けられている関連情報が検索され、その検索された関連情報、およびその検索に寄与した情報が表示される。